(57)【要約】【課題】  本発明は薄型化に好適であり、さらに、液晶表示画面を２次元的に部分駆動し得るエッジ型バックライトユニットを提供することを目的とする。【解決手段】液晶表示画面を複数のブロックに分割して、各ブロックごとに独立した光源と導光板を有するサブ・エッジ型バックライト部を液晶パネルの下に複数個積層して配置して、各ブロックに対して、サブ・エッジ型バックライト部が独立して光を照射でき、また、サブ・エッジ型バックライト部が他のサブ・エッジ型バックライト部の下にも重ねて配置される場合には、他のサブ・エッジ型バックライト部と重複する領域については導光板にドットパターンを設置しないで、鏡面状態とし、中間サブ・エッジ型バックライト部からは光が重複して照射されないように構成する。【選択図】図１
2009265254.tif 000002
【特許請求の範囲】
【請求項１】
液晶パネルの表示画面を複数のブロックに分割して、各ブロックごとに独立した光源と導光板を有するサブ・エッジ型バックライト部を前記液晶パネルの裏側に配置して、前記ブロックごとに、前記サブ・エッジ型バックライト部が独立して光を照射するエッジ型部分駆動バックライトユニットであって、
前記サブ・エッジ型バックライト部は前記液晶パネルの裏側に複数個積層され、
前記サブ・エッジ型バックライト部のうち、前記サブ・エッジ型バックライト部と前記液晶パネルとの間に他の前記サブ・エッジ型バックライト部が設置されている前記サブ・エッジ型バックライト部（以下「中間サブ・エッジ型バックライト部」ともいう）の導光板については、前記液晶パネルとの間に他の前記サブ・エッジ型バックライト部が存在する領域（以下「バックライト重複領域」ともいう）においては、導光板にドットパターンを設置しないで、鏡面状態とすることにより、前記中間サブ・エッジ型バックライト部から前記バックライト重複領域に光が照射されないように構成されていることを特徴とするエッジ型部分駆動バックライトユニット。
【請求項２】
請求項１に記載のエッジ型部分駆動バックライトユニットを有することを特徴とする液晶表示装置。
【請求項３】
エッジ型バックライトユニットを用いて、液晶パネルの表示画面を複数のブロックに分割して、各ブロックごとに部分駆動する方法であって、
分割されたブロックに応じて、複数のサブ・エッジ型バックライト部を液晶パネルの裏側に積層するステップと、
前記中間サブ・エッジ型バックライト部の導光板については、前記バックライト重複領域については導光板にドットパターンを設置しないで、前記バックライト重複領域外の領域についてドットパターンを設置するステップと、を有することを特徴とするエッジ型バックライトユニット部分駆動方法。
【請求項４】
エッジ型バックライトユニットであって、
請求項３に記載のエッジ型バックライトユニット部分駆動方法を使用して製造されたことを特徴とするエッジ型部分駆動バックライトユニット。
【発明の詳細な説明】
【技術分野】
【０００１】
本発明は、液晶表示装置に用いるバックライト装置およびエッジライト型バックライト部分駆動方法に関する。
【背景技術】
【０００２】
近年、テレビはブラウン管を用いたものから液晶を用いたものに移りつつある。さらに通常の薄型テレビから、壁掛け液晶テレビへと移り変わる傾向にあり、薄型化が加速されている。
【０００３】
薄型化を実現するためには、バックライト装置の光源として、冷陰極管に比べて小型である、ＬＥＤ光源を採用したり、薄型構造に有利なエッジライト型バックライトの採用も進められている。
【０００４】
部分駆動表示が可能なバックライトによれば、高いコントラストと広い色再現性を実現できることが知られている。
【０００５】
直下型バックライトによる部分駆動を実現している例はあるが、直下型バックライトの場合には輝度ムラを改善するために、光源と拡散板の間にある程度の距離が必要となり、薄型化には限界がある。図に基づいて説明する。
図４は直下型バックライトによる部分駆動の概略を示す説明図である。
図４において、４０１は部分駆動の対象の液晶画面ブロックであり、４０３は光源であり、４０４は拡散板である。また、４０２は光源から拡散板４０４までの距離である。
直下型バックライトの場合には光源４０３からの光のムラの影響のために、光源から拡散板４０４までの距離４０２がある程度必要であり、構造的に薄型化が困難である。
【０００６】
一方、エッジライト型バックライトを利用すれば、薄型化を実現できるが、エッジライト型のバックライトを積層して使用するには問題があり、２次元的部分駆動は困難であった。具体的には、エッジライト型バックライトの場合には光源を液晶パネルの側面に配置するために、液晶パネルを図３に示されるような１次元的に分割して部分駆動するものは存在したが、２次元的に部分駆動表示が可能なエッジライト型のバックライトは存在しなかった。図３は１次元部分駆動表示が可能なエッジライト型のバックライトの概略図である。
図３において、３０１は導光板であり、３０２は光源が設置される位置である。
【０００７】
発明者は、導光板に工夫を加えることにより、光源と導光板を積層構造とし、ブロック状に分割・配置することにより、サイドのみの光源配置のエッジライト型バックライトによる２次元部分駆動が可能であることに着目した。
【０００８】
【特許文献１】特開  ２００７−２９３３３９
【発明の開示】
【発明が解決しようとする課題】
【０００９】
そこで、本発明は薄型化に有利なエッジライト型バックライトを利用し、液晶パネルを複数のブロックに分割して、ブロック毎に独立して、光を照射し、２次元的な部分駆動をすることが可能なエッジ型バックライトユニットを提供することを目的とする。
【課題を解決するための手段】
【００１０】
請求項１に記載の発明は、液晶パネルの表示画面を複数のブロックに分割して、各ブロックごとに独立した光源と導光板を有するサブ・エッジ型バックライト部を前記液晶パネルの裏側に配置して、前記ブロックごとに、前記サブ・エッジ型バックライト部が独立して光を照射するエッジ型部分駆動バックライトユニットであって、
前記サブ・エッジ型バックライト部は前記液晶パネルの裏側に複数個積層され、
前記サブ・エッジ型バックライト部のうち、前記サブ・エッジ型バックライト部と前記液晶パネルとの間に他の前記サブ・エッジ型バックライト部が設置されている前記サブ・エッジ型バックライト部（以下「中間サブ・エッジ型バックライト部」ともいう）の導光板については、前記液晶パネルとの間に他の前記サブ・エッジ型バックライト部が存在する領域（以下「バックライト重複領域」ともいう）においては、導光板にドットパターンを設置しないで、鏡面状態とすることにより、前記中間サブ・エッジ型バックライト部から前記バックライト重複領域に光が照射されないように構成されていることを特徴とする。
【００１１】
請求項２に記載の発明は、液晶表示装置であって、請求項１に記載のエッジ型部分駆動バックライトユニットを有することを特徴とする。
【００１２】
請求項３に記載の発明は、エッジ型バックライトユニットを用いて、液晶パネルの表示画面を複数のブロックに分割して、各ブロックごとに部分駆動する方法であって、
分割されたブロックに応じて、複数のサブ・エッジ型バックライト部を液晶パネルの裏側に積層するステップと、
前記中間サブ・エッジ型バックライト部の導光板については、前記バックライト重複領域については導光板にドットパターンを設置しないで、前記バックライト重複領域外の領域についてドットパターンを設置するステップと、を有することを特徴とする。
【００１３】
請求項４に記載の発明は、エッジ型バックライトユニットに係り、
請求項３に記載のエッジ型バックライトユニット部分駆動方法を使用して製造されたことを特徴とする。
【発明の効果】
【００１４】
本発明に係るエッジ型部分駆動バックライトユニットによれば、液晶パネルを２次元的に複数のブロックに分割して、各ブロックごとにエッジ型バックライトユニットによって部分駆動をすることが可能となり、液晶表示装置の薄型化を保ちつつ、液晶画面に高いコントラストと広い色再現性を、実現できる。
【発明を実施するための最良の形態】
【００１５】
以下、図を参照しつつ、本発明を実施するための形態につき説明する。
【００１６】
図１は実施の形態１に係るエッジ型部分駆動バックライトユニットの構造を説明するための説明断面図である。
図１の本発明に係るエッジ型部分駆動バックライトユニットは、液晶パネルとの間に他のサブ・エッジ型バックライト部が存在しないサブ・エッジ型バックライト部１００と液晶パネルとの間に他のサブ・エッジ型バックライト部が存在する中間サブ・エッジ型バックライト部１１０を有する。
図１において、１０１は光源であり、１０２は導光板であり、１００は光源１０１と導光板１０２を有するサブ・エッジ型バックライト部であり、１０３はドットパターンである。また、１０９は光源１０１からの出射光である。
【００１７】
また、１１１は光源であり、１１２は導光板であり、１１０は光源１１１と導光板１１２を有する中間サブ・エッジ型バックライト部である。また、１１９は光源１１１からの出射光である。１１４は中間サブ・エッジ型バックライト部１１０と液晶パネルとの間に他の前記サブ・エッジ型バックライト部１００が設置されているバックライト重複領域である。１１５は導光板１１２のうち、バックライト重複領域以外の領域である。
【００１８】
サブ・エッジ型バックライト部１００の導光板については、一般的な導光板と同様に全ての面にドットパターンが形成されている。その結果、光源１０１からの出射光は出射光１０９に代表されるように、導光板１０２の全面から出射する。
【００１９】
次に、中間サブ・エッジ型バックライト部１１０について、説明する。
中間サブ・エッジ型バックライト部１１０の導光板１１２においては、バックライト重複領域１１４にはドットパターン１１３は形成されず、鏡面状態のままとする。その結果、光源１１１からの出射光は出射光１１９に代表されるように、バックライト重複領域１１４においては、導光板１１２の中を全反射しながら進み、ドットパターン１１３が形成されているバックライト重複領域１１４以外の領域１１５においてはドットパターン１１３により乱反射を生じるので、バックライト重複領域１１４以外の領域１１５においてはバックライトの効果を奏する。
【００２０】
以上のように、中間サブ・エッジ型バックライト部１１０の導光板１１２のバックライト重複領域１１４についてはドットパターンを作成しないことにより、サブ・エッジ型バックライト部１００が部分駆動している領域に対して、重複して光を照射してしまうことを防ぐことができる。
【００２１】
その結果、従来は、エッジ型バックライトユニットによっては困難であった液晶パネルの２次元的部分駆動が可能となる。
【００２２】
図２は、図１を上から見た図であって、本発明に係るエッジ型部分駆動バックライトユニットにより、２次元的部分駆動が可能となる液晶パネルの領域を説明するための説明図である。光源は図示されていないが、液晶パネルの左右のエッジ側（２０５、２０６）に設置されている。
２０１と２０３は液晶パネルのエッジで光源が設置されるエッジに接している領域であり、２０２と２０４は光源が設置されるエッジには接していない領域である。
【００２３】
領域２０１や領域２０３のように光源が設置されているエッジに接している領域を部分駆動するためには、図１のサブ・エッジ型バックライト部１００を設置し、光源が設置されるエッジには接していない領域２０２や２０４を部分駆動するためには図１の中間サブ・エッジ型バックライト部１１０を設置することにより、液晶パネルを２次元的に部分駆動することが可能となる。
【００２４】
なお、図１においては、サブ・エッジ型バックライト部を２段にしか積層していないが、必要により２段以上に積層することにより、液晶パネルをより複雑に２次元的に部分駆動することができる。
【図面の簡単な説明】
【００２５】
【図１】実施の形態１に係るエッジ型部分駆動バックライトユニットの構造を説明するための説明断面図である。
【図２】本発明に係るエッジ型部分駆動バックライトユニットによって液晶パネルの２次元的部分駆動の説明図である。
【図３】１次元部分駆動表示が可能なエッジライト型のバックライトの概略図である。
【図４】直下型バックライトによる部分駆動の概略を示す説明図である。
【符号の説明】
【００２６】
１００      サブ・エッジ型バックライト部
１０１      光源
１０２      導光板
１０３      ドットパターン
１０９      光源１０１からの出射光
１１０      中間サブ・エッジ型バックライト部
１１１      光源
１１２      導光板
１１３      ドットパターン
１１４      バックライト重複領域
１１５      バックライト重複領域以外の領域
【図１】
2009265254.tif 000003
【図２】
2009265254.tif 000004
【図３】
2009265254.tif 000005
【図４】
2009265254.tif 000006